(57)【特許請求の範囲】
【請求項１】
記録用紙の幅方向に移動するキャリッジ上に装填され、ノズル開口からインク滴を吐出するインクジェット式記録ヘッドと、前記記録ヘッドにインクを供給するインクカートリッジに連通し、カートリッジ内のインクを導出して前記記録ヘッドにインクを供給する中空状のインク供給針と、前記中空状のインク供給針と記録ヘッドとの間のインク供給路に配置され、異物を除去するためのフィルタ部材とを備えたインクジェット式記録装置であって、
前記インク供給針の中空部に接合状態で配置されるフィルタ部材のほぼ中央部が、インク供給針の中空部側に突出した状態に形成されていることを特徴とするインクジェット式記録装置。
【請求項２】
記録用紙の幅方向に移動するキャリッジ上に装填され、ノズル開口からインク滴を吐出するインクジェット式記録ヘッドと、前記記録ヘッドにインクを供給するインクカートリッジに連通し、カートリッジ内のインクを導出して前記記録ヘッドにインクを供給する中空状のインク供給針と、前記中空状のインク供給針と記録ヘッドとの間のインク供給路に配置され、異物を除去するためのフィルタ部材とを備えたインクジェット式記録装置であって、
前記インク供給針の中空部に接合状態で配置されるフィルタ部材のほぼ中央部が、記録ヘッドに至るインク連絡流路側に突出した状態に形成されていることを特徴とするインクジェット式記録装置。
【請求項３】
前記フィルタ部材に形成された突出部が、一方から他方に至るにつれて突出量が増大する溝状に形成されると共に、突出下端部が記録ヘッドに至るインク連絡流路の直上に位置する誘導溝を形成してなる請求項２に記載のインクジェット式記録装置。
【発明の詳細な説明】
【０００１】
【発明の属する技術分野】
本発明は、記録用紙の幅方向に移動するキャリッジ上にインクジェット式記録ヘッドが搭載された記録装置に関し、特にインクカートリッジ内のインクを導出して記録ヘッドにインクを供給する中空状のインク供給針とフィルタ部材との間に残留する気泡量を少なくさせると共に、記録ヘッドに対して安定したインクの供給を行うことができるインクジェット式記録装置に関する。
【０００２】
【従来の技術】
インクジェット式記録装置は、印刷時の騒音が比較的小さく、しかも小さなドットを高い密度で形成できるため、昨今においてはカラー印刷を含めた多くの印刷に使用されている。このようなインクジェット式記録装置は、インクカートリッジからのインクの供給を受けるインクジェット式記録ヘッドと、記録用紙を記録ヘッドに対して相対的に移動させる紙送り手段を備え、記録ヘッドをキャリッジ上で記録用紙の幅方向に移動させながら記録用紙に対してインク滴を吐出させることで記録が行われる。そしてキャリッジ上に、ブラックインクおよびイエロー、シアン、マゼンタの各カラーインクが吐出が可能な記録ヘッドを搭載し、ブラックインクによるテキスト印刷ばかりでなく、各インクの吐出割合を変えることにより、フルカラー印刷を可能としている。
【０００３】
一方、民生用のこの種の記録装置においては、前記ブラックインクおよびカラーインクを封入した各インクカートリッジが記録ヘッドを搭載したキャリッジ上に、その上部から着脱可能に装着できるように構成されており、各カートリッジはキャリッジに上向きに形成された中空状のインク供給針（以下、中空針ともいう）を介して記録ヘッドに対してインクが供給されるように構成されている。
【０００４】
そして、インクカートリッジから記録ヘッドに供給されるインクは、塵埃等の異物の混入のない清浄な状態であることが要求され、このためにインク流路における記録ヘッドの川上側、例えば前記中空針とこの中空針を支持するヘッドケースとの間に異物を除去するフィルタ部材が配置されている。
【０００５】
図１４は、その構成の一例を模式的に示したものである。図１４に示すように、記録ヘッド７を構成するヘッドケース７１の下側面には、ノズルプレート７ａが配置されており、このノズルプレート７ａには複数のノズル開口７ｂが形成され、また各ノズル開口７ｂに対応して圧電振動子などのアクチェータ７ｃが配置されている。そして、ノズル開口７ｂとそのアクチェータ７ｃ部分から上部に向かってインク連絡流路７ｄがヘッドケース７１内に形成されている。
【０００６】
前記ヘッドケース７１の上部には、それぞれにインク導入孔２１ａを備えた４本の中空針２１が直立状態に配置されており、この中空針２１とヘッドケース７１との間には平面状のフィルタ部材２２が配置されている。そして、各中空針２１における中空部はフィルタ部材２２を介して前記ヘッドケース７１内に形成された各インク連絡流路７ｄにそれぞれ連通されている。
【０００７】
図１４における左端のインク供給針２１は、ブラックインクを供給するためのものであり、このインク供給針２１に向かって、その上部からブラックインクカートリッジ８が矢印Ａ方向から装填できるように構成されている。このブラックインクカートリッジ８は、その上部の大半がインク貯留室８ａを構成しており、このインク貯留室８ａには、多孔質部材８ｂが収納され、且つ多孔質部材８ｂにブラックインクが含浸された状態でインクが貯留されている。
【０００８】
またインク貯留室８ａの下側部には開口部８ｃが形成され、この開口部８ｃ内にはゴム製のシール部材８ｄが嵌め込まれている。そして、開口部８ｃの下端部にはフィルム部材８ｅが貼着されて、カートリッジの保管中において、内部のインク溶媒が揮散しないようにシールされている。
【０００９】
前記したカートリッジ８を、図１４に示すように矢印Ａ方向に押し込むことにより、インク供給針２１が前記フィルム部材８ｅを貫通し、カートリッジ８に装着された前記ゴム製のシール部材８ｄがインク供給針２１の周囲に接合してカートリッジ８は装填状態となされる。そして、インク供給針２１の先端部に形成されたインク導出穴２１ａを介してインクカートリッジ８から記録ヘッド側にインクが供給されるようになされる。
【００１０】
一方、カラーインクカートリッジ９には、図１４に示すようにイエロー、シアン、マゼンタの各カラーインクを個別に収納するインク貯留室が形成されて、これらが一体に形成されており、それぞれの構成は前記したブラックインクカートリッジ８と同一であり、したがってそれぞれの構成の詳細な説明は省略する。
【００１１】
このカラーインクカートリッジ９においても、図１４に示す矢印Ｂ方向に押し込むことにより、ヘッドケース７１上に樹立された残りの３本のインク供給針２１によってそれぞれ装填状態となされ、各カラーインクが記録ヘッド側に供給されるようになされる。
【００１２】
図１５は、前記したブラックインクカートリッジが装填される従来のインク供給針およびフィルタ部材における配置構成を断面図によって示したものであり、図１４に相当する部分は同一符号で示している。図１５に示すように、特にブラックインクカートリッジ８が装填されるインク供給針２１は、ヘッドケース７１の端部に配置されており、したがってヘッドケース７１に形成されるインク連絡流路７ｄは、フィルタ部材２２の直下においてフィルタ部材２２の面と直交する方向に対してヘッドケース７１の中央部側に屈曲状態に、換言すればＬ字状に形成されている。
【００１３】
そして、フィルタ部材２２は楕円形状に形成され、その長径方向がＬ字状に屈曲された方向に一致するように配置されており、またインク供給針２１の中空部とフィルタ部材２２との接合部において、インク連絡流路の屈曲方向に隙間部分２１ｂを形成した構成とされている。このような形態とすることにより、インクの流れをＬ字状の屈曲方向に誘導できるようになされ、またフィルタ部材の面積を増大させてフィルタ部材２２による圧力損失（インクの流動抵抗）が低減できるように成されている。
【００１４】
【発明が解決しようとする課題】
ところで、前記したように中空針とフィルタ部材とが重力方向に配置されている状態においては、インクを初めて記録ヘッドに充填する初期充填時においては、中空針２１とフィルタ部材２２とによる空間部に、気泡Ａｉが残留するという現象が発生し、この残留気泡Ａｉが残されたままとなってこれを排出することは困難となる。
【００１５】
一方、昨今においては印字スピードの高速化を実現するために、インクを吐出するためのノズル数も増大され、またインクを吐出させるためのアクチェータに加わる電気信号も益々高周波数化されている。このために、単位時間当たりのインクの消費量も急激に増加し、中空針２１内を流れるインクの流速も増大している。
【００１６】
これに伴い、前記気泡Ａｉはインクの流れによってフィルタ部材２２側に引きづられ、印字の状態がフルデューティー（全てのノズル開口から同時に最高周波数でインクを吐出する）である場合には、フィルタ部材２２の上流側に残留する気泡Ａｉは、フィルタ部材２２の上部に移動し、フィルタ部材２２の上部に偏平状となってとどまるという現象が発生する。
【００１７】
特に、前記したようにインク供給針２１の中空部とフィルタ部材２２との接合部において、インク連絡流路の屈曲方向に隙間部分２１ｂを形成した構成においては、前記隙間部分２１ｂに気泡Ａｉが入り込むと共に、フィルタ部材２２のほぼ全面にわたって気泡Ａｉが張り付いた状態となり、フィルタ部材２２の有効面積を減少させて圧力損失を増大させる結果となる。
【００１８】
このような状況に至った場合には、記録ヘッド側に対するインクの供給量が減少し、インク滴の重量が設定値よりも少なくなることにより印字障害を発生させるという問題に発展する。また、最悪の場合にはヘッドのノズル開口に形成されるメニスカスを破壊し、ノズル開口からのインクが吐出不良に陥るという問題点を有している。
【００１９】
本発明は、前記した従来の技術的課題に着目してなされたものであり、フィルタ部材の上部に存在する残留気泡の量を低減させることができると共に、印字中において発生する残留気泡のフィルタ部材への張り付き現象を抑制し得るように構成し、これにより前記した残留気泡の影響による印字不良の発生をなくすことができるインクジェット式記録装置を提供することを目的とするものである。
【００２０】
【課題を解決するための手段】
前記した目的を達成するために成された本発明にかかるインクジェット式記録装置は、記録用紙の幅方向に移動するキャリッジ上に装填され、ノズル開口からインク滴を吐出するインクジェット式記録ヘッドと、前記記録ヘッドにインクを供給するインクカートリッジに連通し、カートリッジ内のインクを導出して前記記録ヘッドにインクを供給する中空状のインク供給針と、前記中空状のインク供給針と記録ヘッドとの間のインク供給路に配置され、異物を除去するためのフィルタ部材とを備えたインクジェット式記録装置であって、前記インク供給針の中空部に接合状態で配置されるフィルタ部材のほぼ中央部が、インク供給針の中空部側に突出した状態に形成される。
【００２３】
さらに、他の好ましい実施の形態として、インク供給針の中空部に接合状態で配置されるフィルタ部材のほぼ中央部が、記録ヘッドに至るインク連絡流路側に突出した状態に形成される場合もある。この場合において、突出部が一方から他方に至るにつれて突出量が増大する溝状に形成されると共に、突出下端部が記録ヘッドに至るインク連絡流路の直上に位置する誘導溝を構成していることが好ましい。
【００２６】
以上のように構成されたインクジェット式記録装置によると、インク供給針の中空部に接合状態で配置されるフィルタ部材のほぼ中央部がインク供給針の中空部側に突出した構成とすることで、フィルタ部材の実質面積を増大させることができるため、フィルタ部材による圧力損失を低減させることができる。そして、フィルタ部材の上流側における残留気泡が存在する空間を、半球状の突出部が占有するために、初期充填動作時においてフィルタ部材の上流側に存在する気泡の排出を促進させることができる。
【００２７】
さらにまた、インク供給針の中空部に接合状態で配置されるフィルタ部材のほぼ中央部が、記録ヘッドに至るインク連絡流路側に突出した構成とすることで、同様にフィルタ部材の実質面積を増大させることができ、これによりフィルタ部材による圧力損失を低減させることができる。そして、その突出部が一方から他方に至るにつれて突出量が増大する溝状に形成され、突出下端部が記録ヘッドに至るインク連絡流路の直上に位置する誘導溝を形成させることで、インクの初期充填動作時において、フィルタ部材の上流側に存在する気泡を誘導溝の突出下端部に集中させて、これを排出させることができる。
【００２８】
したがって、前記したいずれの構成を採用するにおいても、フィルタ部材の上流側に残留する気泡量を効果的に減少させることができ、記録装置の実使用時において記録ヘッドに対して安定したインクの供給を行うことができる。
【００２９】
【発明の実施の形態】
以下、本発明にかかるインクジェット式記録装置について、図に示す実施の形態に基づいて説明する。図１は本発明が適用された記録装置本体の基本構成を斜視図によって示したものである。図１において符号１はキャリッジであり、キャリッジモータ２により駆動されるタイミングベルト３を介し、ガイド部材４に案内されてプラテン５の軸方向に往復移動されるように構成されている。
【００３０】
キャリッジ１の記録用紙６に対向する側には、インクジェット式記録ヘッド７が搭載され、またその上部には前記記録ヘッド７にインクを供給するブラック用インクカートリッジ８、およびカラー用インクカートリッジ９が着脱可能に装填されている。
【００３１】
図中符号１０は、非印字領域（ホームポジション）に配置されたキャッピング手段であって、前記記録ヘッド７が直上に移動した時に、記録ヘッド７のノズル形成面を封止できるように構成されている。そしてキャッピング手段１０の下方には、キャッピング手段１０の内部空間に負圧を与えるための吸引ポンプ１１が配置されている。
【００３２】
前記キャッピング手段１０は記録装置の休止期間中における記録ヘッド７のノズル開口の乾燥を防止する蓋体として機能する他、記録ヘッドに印刷とは関係のない駆動信号を印加してインク滴を空吐出させるフラッシング動作時のインク受けとして機能し、さらに前記吸引ポンプ１１からの負圧を記録ヘッド７に作用させて、インクを吸引するクリーニング動作を実行させる機能も兼ね備えている。そして、キャッピング手段１０の近傍には、ゴムなどの弾性板からなるワイピング部材１２が配置されていて、キャリッジ１がキャッピング手段１０側に往復移動する際に、記録ヘッド７のノズル形成面を払拭するワイピング動作がなされるように構成されている。
【００３３】
図２は、前記した記録装置におけるブラックインクを扱うインク供給針およびフィルタ部材を含む部分の構成を断面図によって示した第１の実施の形態を示すものである。これは前記した図１５に対応した形で描かれており、図１５に相当する部分は同一符号で示し、その詳細な説明は省略する。
【００３４】
この図２に示す実施の形態においては、フィルタ部材２２から記録ヘッドに至るインク連絡流路７ｄが、フィルタ部材２２の直下においてフィルタ部材の面と直交する方向に対して屈曲状態に形成されている。そして、インク供給針２１の中空部とフィルタ部材２２との接合部において、インク連絡流路７ｄの屈曲方向に隙間部分２１ｂが形成されている。この場合、前記隙間部分２１ｂは、中空状のインク供給針２１内に存在する残留気泡Ａｉがインクの流れに伴って侵入しない程度の間隙をもって形成されている。
【００３５】
前記した構成によると、残留気泡Ａｉによる表面張力により、印刷時のインクの流速状態においては前記隙間部分２１ｂに残留気泡Ａｉが侵入するのを阻止するように作用する。これにより、隙間部分２１ｂの直下におけるフィルタ部材２２による有効面積を確保することができ、フィルタ部材による圧力損失を低減させることが可能となる。
【００３６】
図３は、同様にブラックインクを扱うインク供給針およびフィルタ部材を含む部分の構成を断面図によって示した第２の実施の形態を示すものである。これも同様に前記した図１５に対応した形で描かれており、図１５に相当する部分は同一符号で示し、その詳細な説明は省略する。
【００３７】
この図３に示す実施の形態においては、図２に示した形態に比較してインク連絡流路７ｄの屈曲方向に形成される隙間部分２１ｂが、さらに狭く形成されており、同様に残留気泡Ａｉによる表面張力により、印刷時のインクの流速状態においてはインクの流れに伴ってこの隙間部分２１ｂには侵入しない。これにより、隙間部分２１ｂの直下におけるフィルタ部材２２による有効面積を確保することができ、フィルタ部材による圧力損失を低減させることが可能となる。
【００３８】
加えて、図３に示す構成においては、図２に示す構成に比較して隙間部分２１ｂがより狭く構成されているため、インクを初めて記録ヘッドに充填する初期充填時において実施される記録ヘッドからのインクの吸引動作によって、インクはフィルタ部材２２の面に直交するように流れる。したがって、フィルタ部材２２の上流側に存在する気泡Ａｉの排出が促進され、残留気泡Ａｉのある程度の排出が達成できる。よって、残留気泡Ａｉの量を低減させることが可能であり、低減した残留気泡Ａｉは、インクの流れに引きずられてフィルタ部材２２にまで到達する頻度も少なくなり、通常の印刷状態においては、図３に示すようにインク供給針２１の内部空間の中途にとどまるか、さらに上部に位置した状態になされる。
【００３９】
次に図４は、同様にブラックインクを扱うインク供給針およびフィルタ部材を含む部分の構成を断面図によって示した第３の実施の形態を示すものである。これも同様に前記した図１５に対応した形で描かれており、図１５に相当する部分は同一符号で示し、その詳細な説明は省略する。
【００４０】
この図４に示す実施の形態においては、図３に示す形態に比較してインク供給針２１の中空部と、フィルタ部材２２との接合部において、インク連絡流路７ｄの屈曲方向に隙間を形成しないように構成されている。この図４に示す実施の形態によると、図２または図３に示すような隙間２１ｂが存在しないため、実質的なフィルタ部材２２の面積が縮小されるため、初期充填動作時におけるインクの流れが一層早くなる。
【００４１】
このためにフィルタ部材２２の上流側に存在する気泡Ａｉの排出がより促進され、残留気泡Ａｉの量を低減させることが可能である。したがって、低減した残留気泡Ａｉはインクの流れに引きずられてフィルタ部材２２にまで到達する頻度がより少なくなり、通常の印刷状態においては、図４に示すようにインク供給針２１の内部空間の中途にとどまるか、さらに上部に位置した状態になされる。
【００４２】
図５乃至図７は、同様にブラックインクを扱うインク供給針およびフィルタ部材を含む部分の構成を断面図によって示した第４乃至第６の実施の形態を示すものである。これらの実施の形態も同様に前記した図１５に対応した形で描かれており、図１５に相当する部分は同一符号で示し、その詳細な説明は省略する。
【００４３】
この図５乃至図７に示す各形態においては、フィルタ部材２２から記録ヘッドに至るインク連絡流路７ｄが、フィルタ部材２２の直下において、フィルタ部材の面と直交する方向に向いて形成されている。この構成によると、記録ヘッドに至るインク連絡流路７ｄが、フィルタ部材２２の面と直交することになり、したがってフィルタ部材２２に均等に圧力がかかるため、初期充填動作時におけるインクの流れによってフィルタ部材２２の上流側に存在する気泡Ａｉの排出が促進される。また、インクの流れがフィルタ部材２２に直交する方向に形成されるため、同様にフィルタ部材２２の上流側に存在する気泡Ａｉの排出が促進される。
【００４４】
これにより、低減した残留気泡Ａｉはインクの流れに引きずられてフィルタ部材２２にまで到達する頻度も少なくなり、通常の印刷状態においては、図５乃至図７にそれぞれ示すようにインク供給針２１の内部空間の中途にとどまるか、さらに上部に位置した状態になされる。
【００４５】
なお、図５に示す形態においては、図２に示した形態と同様な隙間部分２１ｂが形成されており、また図６に示す形態においては、図３に示した形態と同様な隙間部分２１ｂが形成されている。これら図５および図６に示す形態によると、インクの流れによって、たとえ気泡Ａｉがフィルタ部材２２に達したとしても、気泡の表面張力により前記隙間部分２１ｂに侵入することはなく、したがって隙間部分２１ｂの直下におけるフィルタ部材２２による有効面積を確保することができ、フィルタ部材による圧力損失を低減させることが可能となる。
【００４６】
図８は、同様にブラックインクを扱うインク供給針およびフィルタ部材を含む部分の構成を断面図によって示した第７の実施の形態を示すものである。これも同様に前記した図１５に対応した形で描かれており、図１５に相当する部分は同一符号で示し、その詳細な説明は省略する。
【００４７】
この図８に示す実施の形態においては、インク供給針２１の中空部に接合状態で配置されるフィルタ部材２２の一部が、インク供給針２１の中空部側に突出した状態に形成されている。図８に示す形態においては、その突出部２２ａがほぼ半球状となるように構成されている。この半球状の突出部２２ａを形成させたことにより、平面状のフィルタ部材に比較して、その実質面積を増大させることができるため、フィルタ部材による圧力損失を低減させることができる。また、フィルタ部材２２の上流側における残留気泡が存在する空間を、半球状の突出部２２ａが占有するために、インクの初期充填動作時においてフィルタ部材２２の上流側に存在する気泡Ａｉの排出を促進させることができる。
【００４８】
さらに、半球状の突出部２２ａは、インクの流れに伴う残留気泡Ａｉの張り付きを阻止することができ、前記した実質面積の増大に伴う圧力損失の低減作用との相乗効果により、残留気泡Ａｉによる障害の発生を効果的に防止することができる。
【００４９】
なお、図８に示した形態は、楕円形状のフィルタ部材に半球状の突出部２２ａを形成させた例を示しているが、例えば図９に斜視図で示したように円形状のフィルタ部材２２の中央部に同様に半球状の突出部２２ａをインク供給針２２の中空部側に向けて形成させるようにしてもよい。
【００５０】
次に図１０は、同様にブラックインクを扱うインク供給針およびフィルタ部材を含む部分の構成を断面図によって示した他の実施の形態を示すものである。これも同様に前記した図１５に対応した形で描かれており、図１５に相当する部分は同一符号で示し、その詳細な説明は省略する。
【００５１】
この図１０に示す実施の形態においては、インク供給針２１の中空部に接合状態で配置されるフィルタ部材２２の一部が、記録ヘッドに至るインク連絡流路側に突出した状態に形成されている。図１１（Ａ）および（Ｂ）は、それぞれフィルタ部材２２を上部から見た上面図、および水平方向から見た側面図で示している。このフィルタ部材２２は上面から見て楕円形状に構成されており、フィルタ部材２２のほぼ中央部が、記録ヘッドに至るインク連絡流路７ｄ側に突出した状態に形成されている。そして、突出部は一方から他方に至るにつれて突出量が増大する溝状に形成され、突出下端部２２ｂが記録ヘッドに至るインク連絡流路７ｄの直上に位置する誘導溝２２ｃを形成している。
【００５２】
この構成によると、平面状のフィルタ部材に比較して、その実質面積を増大させることができるため、フィルタ部材による圧力損失を低減させることができる。また、誘導溝２２ｃにおける突出下端部２２ｂが、記録ヘッドに至るインク連絡流路７ｄの直上に位置するように形成されているので、例えばインクの初期充填動作時においてフィルタ部材２２の上流側に存在する気泡は、誘導溝２２ｃから突出下端部２２ｂに誘導されるため、前記気泡の排出を促進させることができる。
【００５３】
さらに、インク連絡流路７ｄ側に突出した誘導溝２２ｃは、記録装置の実使用時におけるインクの流れに伴う残留気泡の張り付きを阻止することができ、前記した実質面積の増大に伴う圧力損失の低減作用との相乗効果により、残留気泡による障害の発生を効果的に防止することができる。
【００５４】
また、図１２に示すフィルタ部材は、図１１に示す構成の変形例を示している。この図１２に示すフィルタ部材は、図１１に示す構成に対してフィルタの形成部分（フィルタの有効面積部分）が上部から見て、ほぼ二等辺三角形に近似した状態に構成されている。したがって、インクの初期充填動作時において、フィルタ部材２２の上流側に存在する気泡を記録ヘッドに至るインク連絡流路７ｄの直上に集中させることができ、これにより気泡の排出効率をより高めることができる。
【００５５】
なお、図１１および図１２に示した形態は、一方から他方に至るにつれて突出量が増大する長辺形状の誘導溝２２ｃを、記録ヘッドに至るインク連絡流路側に突出させた構成としているが、例えば図１３に斜視図で示したように円形状のフィルタ部材２２の中央部に、半球状の突出部２２ｄを記録ヘッドに至るインク連絡流路側に突出させた構成にすることもでき、このように構成することで、フィルタの実質面積を増大させることができ、同様にフィルタ部材による圧力損失を低減させることができる。
【００５６】
【発明の効果】
以上の説明で明らかなように、本発明にかかるインクジェット式記録装置によると、フィルタ部材による有効面積を確保することができ、フィルタ部材による圧力損失を低減させることが可能となる。また、インクの初期充填動作においてフィルタ部材の上流側に存在する気泡の排出を促進させることもできるため、フィルタ部材の上流側に残留する気泡が、記録装置の実使用時において印字不良を発生させるという問題を解決することができる。これにより、安定した印字動作を保証することができるインクジェット式記録装置を提供することができる。
【図面の簡単な説明】
【図１】本発明を適用したインクジェット式記録装置本体の基本構成を示す斜視図である。
【図２】図１に示す記録装置におけるインク供給針とフィルタ部材との構成における第１の実施の形態を示した断面図である。
【図３】同じく第２の実施の形態を示した断面図である。
【図４】同じく第３の実施の形態を示した断面図である。
【図５】同じく第４の実施の形態を示した断面図である。
【図６】同じく第５の実施の形態を示した断面図である。
【図７】同じく第６の実施の形態を示した断面図である。
【図８】同じく第７の実施の形態を示した断面図である。
【図９】同じく第８の実施の形態を示したインク供給針とフィルタ部材の斜視図である。
【図１０】同じく第９の実施の形態を示した断面図である。
【図１１】図１０に示した実施の形態において使用されるフィルタ部材の構成図である。
【図１２】図１０に示した実施の形態において使用される他のフィルタ部材の構成図である。
【図１３】同じくインク供給針とフィルタ部材の他の実施の形態を示した斜視図である。
【図１４】記録ヘッドにインクを供給するためのインクカートリッジを装填する状態を示した模式図である。
【図１５】ブラックインクカートリッジが装填される従来のインク供給針およびフィルタ部材における配置構成を示した断面図である。
【符号の説明】
１      キャリッジ
６      記録用紙
７      インクジェット式記録ヘッド
７ａ    ノズルプレート
７ｂ    ノズル開口
７ｄ    インク連絡流路
８      ブラック用インクカートリッジ
９      カラー用インクカートリッジ
１０    キャッピング手段
１１    吸引ポンプ
１２    ワイピング部材
２１    インク供給針
２１ａ  インク導入孔
２１ｂ  隙間部分
２２    フィルタ部材
２２ａ  半球状突出部
２２ｂ  突出下端部
２２ｃ  誘導溝
２２ｄ  半球状突出部
７１    ヘッドケース
Ａｉ    残留気泡
【図１】
0003584772.tif 000002
【図２】
0003584772.tif 000003
【図３】
0003584772.tif 000004
【図４】
0003584772.tif 000005
【図５】
0003584772.tif 000006
【図６】
0003584772.tif 000007
【図７】
0003584772.tif 000008
【図８】
0003584772.tif 000009
【図９】
0003584772.tif 000010
【図１０】
0003584772.tif 000011
【図１１】
0003584772.tif 000012
【図１２】
0003584772.tif 000013
【図１３】
0003584772.tif 000014
【図１４】
0003584772.tif 000015
【図１５】
0003584772.tif 000016